(57)【特許請求の範囲】
【請求項１】
引出枠（３）と遮断器本体（４）とからなり着脱式ハンドル（８）を前記遮断器本体に設けられた装着穴（１５ａ）に装着して回転することによって前記遮断器本体を前記引出枠内の断路位置と接続位置との間で移動させることができる引出形回路遮断器（２）を収納する収納箱（１）のインターロック装置であって、
前記収納箱の扉（１１）の内側に設けられた扉側ロック部材（１２）と、
前記扉が閉じられているときの前記扉側ロック部材方向に回転付勢され該付勢方向と逆方向への回転が阻止されるとき前記扉側ロック部材と係合して前記扉が開くことを阻止する固定側ロックレバー（２９）と、
前記遮断器本体が移動するとき該移動に追随して変位するものであって該変位中に前記固定側ロックレバーに形成された前記遮断器本体の移動方向の回転阻止係合縁（２９ｄ）と係合して該固定側ロックレバーの前記付勢方向とは逆方向への回転を阻止する回転阻止部材（３０）と、
前記遮断器本体に設けられる、前記装着穴を覆う方向に付勢されるシャッタ（１３）、前記シャッタと連動するレバーであって断路位置で前記扉が閉じられたとき回転して該シャッタを全閉状態から略半開状態に開けるとともに該シャッタが全開状態に変位させられたときさらに回転して前記回転阻止部材を前記回転阻止係合縁と係合可能にするシャッタ駆動レバー（２０）、前記遮断器本体が断路位置から移動した位置において前記ハンドルが取り外されたとき前記遮断器本体の移動方向のガイド手段（１８ａ）と係合して前記シャッタを略半開状態に保持するとともに前記回転阻止部材と前記回転阻止係合縁との係合可能状態を維持する前記シャッタ駆動レバーに設けられる開扉ロック保持部材（２５）及び前記装着穴の略半開状態で前記ハンドルを装着するとき自動的に該シャッタを全開するシャッタ全開手段（１３ｂ）と、
を備えることを特徴とする引出形回路遮断器の収納箱のインターロック装置。
【請求項２】
前記回転阻止部材は、前記固定部材に設けられるとともに、前記扉が閉じられたとき及び前記遮断器本体が接続位置方向に移動するとき、前記回転阻止部材上を前記遮断器本体の巾方向に変位自在であってシャッタ駆動レバーに設けられる駆動部材（２３）を介して前記遮断器の移動方向に駆動されることを特徴とする請求項１の引出形回路遮断器の収納箱のインターロック装置。
【発明の詳細な説明】
【０００１】
【発明の属する技術分野】
本発明は、引出形回路遮断器を収納する扉付きの収納箱のインターロック装置に関する。
【０００２】
【従来の技術】
引出形回路遮断器の引出枠と遮断器本体とからなり、遮断器本体は主回路や制御回路が電源に接続される接続位置から制御回路だけが接続される試験位置を経由して両回路が断路した断路位置へ引き出されるまで引出枠内を移動可能であり、また逆に挿入されることができる。
【０００３】
このような引出形回路遮断器の遮断器本体を移動するための引出装置には、特開平１０−２７１６２３号公報に開示されているように、遮断器本体の移動方向に軸心がのびるおねじを遮断器本体に設けこのおねじと同軸のめねじを引出枠に設け、遮断器本体の前面に設けられた開口部から着脱式のハンドルをおねじに形成された装着穴に挿入しておねじを回転させると、おねじとめねじの係合量を変化させることによって遮断器本体を移動させ得るものがある。
【０００４】
【発明が解決しようとする課題】
このような引出形回路遮断器は、塵埃などから保護するため１台ずつ扉付きの箱に収納して設置されることがあるが、遮断器本体が接続位置や試験位置にあるときは遮断器本体には電圧が印可されているため感電事故などが生じる可能性があるという問題があった。
【０００５】
したがって、この発明は遮断器本体が断路位置にあるときだけ扉を開けることができる安全な引出形回路遮断器の収納箱を実現することにある。
【０００６】
【課題を解決するための手段】
上記の問題を解決するために、請求項１の発明は、引出枠（３）と遮断器本体（４）とからなり着脱式ハンドル（８）を遮断器本体に設けられた装着穴（１５ａ）に装着して回転することによって遮断器本体を引出枠内の断路位置と接続位置との間で移動させることができる引出形回路遮断器（２）を収納する収納箱（１）のインターロック装置であって、収納箱の扉（１１）の内側に設けられた扉側ロック部材（１２）と、扉が閉じられているときの扉側ロック部材方向に回転付勢され該付勢方向と逆方向への回転が阻止されるとき扉側ロック部材と係合して扉が開くことを阻止する固定部材に設けられる固定側ロックレバー（２９）と、遮断器本体が移動するとき該移動に追随して変位するものであって該変位中に固定側ロックレバーに形成された遮断器本体の移動方向の回転阻止係合縁（２９ｄ）と係合して該固定側ロックレバーの付勢方向とは逆方向への回転を阻止する回転阻止部材（３０）と、遮断器本体に設けられる、装着穴を覆う方向に付勢されるシャッタ（１３）、シャッタと連動するレバーであって断路位置で扉が閉じられたとき回転して該シャッタを全閉状態から略半開状態に開けるとともに該シャッタが全開状態に変位させられたときさらに回転して回転阻止部材を回転阻止係合縁と係合可能にするシャッタ駆動レバー（２０）、遮断器本体が断路位置から移動した位置においてハンドルが取り外されたとき遮断器本体の移動方向のガイド手段（１８ａ）と係合してシャッタを略半開状態に保持するとともに回転阻止部材と回転阻止係合縁との係合可能状態を維持するシャッタ駆動レバーに設けられる開扉ロック保持部材（２５）及び装着穴の略半開状態でハンドルを装着するとき自動的に該シャッタを全開するシャッタ全開手段（１３ｂ）と、を備えることとしている。
【０００７】
このような構成により、遮断器本体が断路位置にあり扉が閉じられているときはシャッタ駆動レバーが回転してシャッタを半開状態としてハンドルの装着を可能にし、ハンドルを装着するときシャッタ全開手段によりシャッタが全開位置まで変位することによってシャッタ駆動レバーが回転して回転阻止部材を変位させて固定側ロックレバーの回転を阻止することによって開扉を阻止し、断路位置から接続位置方向に挿入されたどの位置においてハンドルが取り外されても開扉ロック保持手段によりシャッタが半開状態が維持されるため再装着が可能であるとともに回転阻止部材を固定側ロックレバーの回転を阻止できる状態に維持するため開扉を阻止できる。
【０００８】
請求項２の発明は、回転阻止部材は、固定部材に設けられるとともに、扉が閉じられたとき及び遮断器本体が接続位置方向に移動するとき、回転阻止部材上を遮断器本体の巾方向に変位自在であってシャッタ駆動レバーに設けられる駆動部材（２３）を介して前記遮断器の移動方向に駆動されることとしている。
【０００９】
このような構成により、回転阻止部材が固定側ロックレバーと同じ固定部材に設けられている上、この回転阻止部材上を変位可能な状態で遮断器本体側に設けられる駆動部材によって遮断器本体の移動方向に駆動されるため、遮断器本体がその移動中に引出枠などの固定部材に対してその巾方向に多少変位しても確実に回転阻止部材の機能が達成できる。
【００１０】
【発明の実施の形態】
本発明の実施の形態を、図１ないし図７に示される実施例において説明する。
【００１１】
図１は外形のみが鎖線であらわされている収納箱１に収納された引出形回路遮断器２の正面図であり、引出形回路遮断器２は引出枠３と紙面の裏表方向に移動自在の４とからなる。引出枠３の底板５と遮断器本体４の底部との間には後述する枠側ロック部材６が備えられ、遮断器本体４の正面カバー７には後述する引出操作ハンドル８を挿入するハンドル挿入口９が形成されている。
【００１２】
図２及び図３は引出形回路遮断器２を収納した収納箱１のそれぞれ側板及び天板を省略した側面図及び平面図であって、図２は遮断器本体４が接続位置にあり図３は断路位置にある状態を示している。収納箱１は箱本体１０と図３に開いた状態が鎖線で示されているヒンジ形の扉１１とからなり、扉１１には後述する扉側ロック部材１２が備えられ、遮断器本体４の底部には後述するシャッタ１３を含む本体側ロック部材１４が備えられている。
【００１３】
図４ないし図７は図３と同一方向から見た本実施例の主要部とその動作を示す部分図である。本実施例のインターロック装置が取り付けられている引出形回路遮断器の引出装置は従来の技術において説明したようなおねじとめねじとを採用したものであって、その詳細は本願発明の主要部ではないためその詳細説明を省略するが、その一方の部材である引出操作用おねじ１５は遮断器本体４の底部に固定されている基板１６によって回転自在に保持されハンドル挿入口９に対応する先端部にはハンドル装着穴１５ａが形成されている。なお、これらの図において基板１６の外形形状は鎖線で示され、引出操作用おねじ１５を保持する部分などＬ字状に曲げられた部分の断面がハッチングを施して示されている。
【００１４】
本体側ロック部材１４は基板１６上に形成されており、上下方向にスライド自在であって開口部１３ａ及び傾斜折曲部１３ｂが形成されたシャッタ１３と、左右方向にスライド自在であって基板１６に形成されたフック１６ａとの間に設けられたコイルばね１７によって右方（遮断器本体４の挿入方向）に付勢されているスライド板１８と、軸１９によって回転自在に保持されるシャッタ駆動レバー２０とからなる。
【００１５】
スライド板１８は、基板１６に設けられたガイドピン２１及びガイド突起１６ｂと左右方向にスライド板１８に形成されたガイド孔１８ｂ及びガイド孔１８ｃとによってガイドされ、その先端はコイルばね１７の作用によって引出枠３の底板５に設けられたスライド板ストッパ２２に押し付けられているため、遮断器本体４が移動しても基板１６に対しては相対的にスライドするが引出枠３かに対しては静止状態を維持する構成となっている。また、シャッタ駆動レバー２０には連動ピン２４、スライド板駆動ピン２３及び開扉ロック保持ピン２５が設けられており、連動ピン２４はシャッタ１３に形成されている切欠き１３ｃにはめ込まれている。
【００１６】
枠側ロック部材６は、左右方向にスライド自在であって引出枠３の底板５に形成されたフック５ａとの間に設けられたコイルばね２６によって左方向に付勢されているスライド板２７と、ねじりばね２８によって時計方向に付勢されている固定側ロックレバー２９から構成され、スライド板２７は、固定側ロックレバー回転阻止ピン３０、ガイドピン３１及びガイドピン３２を備え、このガイドピン３１及びガイドピン３２と引出枠３の底板５に形成された左右方向に長いガイド孔５ｂ及びガイド孔５ｃによってガイドされる。
【００１７】
扉側ロック部材１２はねじりばね３３によって時計方向に付勢されるロックピン３４を備えるロックレバー３５から構成される。
【００１８】
このように構成される本実施例の動作について説明する。図４は扉１１が矢印のごとく時計方向に回転されて閉じられる直前の図であって、扉１１が閉じられる方向に回転するにしたがってロックピン３４がくちばし状端部２９ａを押して固定側ロックレバー２９を反時計方向に回転させている状態である。この図４の状態では固定側ロックレバー２９は本体側ロック部材１４に何も作用せず、ねじりばね３６によって反時計方向に付勢されているシャッタ駆動レバー２０がストッパ３７によって静止し、連動ピン２４に駆動されてシャッタ１３がハンドル装着穴１５ａを完全に覆っているため引出操作ハンドル８を引出操作用おねじ１５に装着することはできない。すなわち、上記のように閉じられる寸前も含めて扉１１が開いた状態においては、引出操作ハンドル８を装着できないため遮断器本体を接続位置方向に移動できないため安全である。
【００１９】
図４の状態からさらに扉１１を閉じる動作を続けると、ロックピン３４が固定側ロックレバー２９のくちばし状端部２９ａを離脱して固定側ロックレバー２９が時計方向に復帰回転し固定側ロックレバー２９の切欠き部２９ｂにはまり込みストッパ３８によってその回転が停止する。この扉１１を閉じる動作中、駆動部材１１ａがスライド板駆動ピン２３を押してシャッタ駆動レバー２０を時計方向に回転させた図５に示される状態となる。このように扉１１が閉じられると、シャッタ駆動レバー２０の回転によりシャッタ１３が上方向にスライドし引出操作用おねじ１５のハンドル装着穴１５ａが半開きの状態となる。また、扉１１を再び開くため扉１１を反時計方向に回転させるとロックピン３４が開扉ロック係合縁２９ｃを押しながら固定側ロックレバー２９を反時計方向に回転させることができ開扉できる。
【００２０】
このように扉が１１が閉じられているときであって引出操作ハンドル８が装着されていないときは、遮断器本体４がどの位置にあっても以下の理由によりシャッタ１３は略半開状態としておく必要がある。すなわち、遮断器本体４は少なくとも接続位置から移動するとき又は接続位置に挿入されるときは開閉接点を開離させておかなければ危険である。このため、引出操作ハンドルを装着するとき自動的に開閉接点を開離させるような連動機構が必要であり、詳細説明は省略するが、本実施例の遮断器本体はシャッタ１３が完全に閉じられていると及び半開状態ではこの連動機構が動作せず全開状態になったとき動作するような構成になっている。
【００２１】
図５の状態において、引出操作ハンドル８をハンドル挿入口９から挿入するとその先端がシャッタ１３の傾斜折曲部１３ｂに沿って移動しながらシャッタ１３をさらに上方向に移動させてハンドル装着穴１５ａに挿入される。すなわち、扉１１が閉じた状態では遮断器本体４の挿入方向への移動操作が可能となる。この状態が図６に示されており、シャッタ駆動レバー２０が図５で示される状態よりさらに時計方向に回転しており、スライド板駆動ピン２３が駆動辺２７ａを押してスライド板２７を右方向に押して固定側ロックレバー回転阻止ピン３０が固定側ロックレバー２９の回転阻止係合縁２９ｄと係合可能なように位置する。このため、扉１１を開けようとして反時計方向に回転させるとロックピン３４が開扉ロック係合縁２９ｃを押す。しかし、固定側ロックレバー２９が反時計方向に回転できないため扉１１を開けることはできない。
【００２２】
図６の状態から引出操作ハンドル８を操作して引出操作用おねじ１５を回転させると、遮断器本体４と共に本体側ロック部材１４が右方に移動しスライド板駆動ピン２３に押されてスライド板２７が右方に移動する以外は図６の状態が略維持され、固定側ロックレバー回転阻止ピン３０は固定側ロックレバー２９の回転阻止係合縁２９ｄに沿って移動するため扉１１を開けることはできない。このとき、前述のごとくスライド板１８は静止状態であり、スライド板２７はスライド板駆動ピン２３に押されて右方に移動する。
【００２３】
図７は遮断器本体４が接続位置に達し引出操作ハンドル８が取り外された状態であって、ねじりばね３６の作用によりシャッタ駆動レバー２０が反時計方向に回転し、開扉ロック保持ピン２５が左右方向に延びるスライド板１８のガイド腕１８ａの縁に接してその回転が停止する。この状態ではシャッタ１３はハンドル装着穴１５ａに対して半開きの状態となり、再び引出操作ハンドル８を装着して遮断器本体４を引き出すことができる。しかし、固定側ロックレバー２９は固定側ロックレバー回転阻止ピン３０によってその反時計方向の回転が阻止されるため扉１１を開けることはできない。このガイド腕１８ａは、遮断器本体４が断路位置からわずかに接続位置方向へ移動されたときに引出操作ハンドル８が取り外されても固定側ロックレバー２９の反時計方向への回転を阻止する位置まで上方に延びているため、断路位置において扉１１が閉じられてから接続位置までのいずれの位置でも引出操作ハンドル８の着脱が自由であり、引出及び挿入の操作ができる。
【００２４】
なお、図示されていないが扉１１には小孔が形成されており、緊急時又は点検時など必要な場合に、小孔からピンを差し込んでロックレバー３５を反時計方向に回転させればロック状態にある扉１１を開けることができる。
【００２５】
上記の実施例では、固定側ロックレバー２９の反時計方向への回転を阻止する部材はスライド板２７に設けられた固定側ロックレバー回転阻止ピン３０であるが、このスライド板２７及び固定側ロックレバー回転阻止ピン３０を省略してスライドピン駆動ピン２４を適切に配置をして固定側ロックレバー回転阻止ピン３０と同じ機能を持たせることができる。
【００２６】
【発明の効果】
本発明は、以上説明した形態で実施され、引出枠と遮断器本体とからなり着脱式ハンドルを遮断器本体に設けられた装着穴に装着して回転することによって遮断器本体を引出枠内の断路位置と接続位置との間で移動させることができる引出形回路遮断器を収納する収納箱のインターロック装置において、収納箱の扉の内側に設けられた扉側ロック部材と、扉が閉じられているときの扉側ロック部材方向に回転付勢され該付勢方向と逆方向への回転が阻止されるとき扉側ロック部材と係合して扉が開くことを阻止する固定部材に設けられる固定側ロックレバーと、遮断器本体が移動するとき該移動に追随して変位するものであって該変位中に固定側ロックレバーに形成された遮断器本体の移動方向の回転阻止係合縁と係合して該固定側ロックレバーの付勢方向とは逆方向への回転を阻止する回転阻止部材と、遮断器本体に設けられる、装着穴を覆う方向に付勢されるシャッタ、シャッタと連動するレバーであって断路位置で扉が閉じられたとき回転して該シャッタを全閉状態から略半開状態に開けるとともに該シャッタが全開状態に変位することによってさらに回転して回転阻止部材を回転阻止係合縁と係合可能にするシャッタ駆動レバー、遮断器本体が断路位置から移動した位置においてハンドルが取り外されたとき遮断器本体の移動方向のガイド手段と係合してシャッタを略半開状態に保持するとともに回転阻止部材と回転阻止係合縁との係合可能状態を維持するシャッタ駆動レバーに設けられる開扉ロック保持部材及び装着穴の略半開状態でハンドルを装着するとき自動的に該シャッタを全開するシャッタ全開手段と、を備えることによって、収納箱の扉が閉じられているときはいつでも遮断器本体の移動操作が可能であり、遮断器本体が断路位置にあるとき以外は扉を開けることができないような安全なインターロック機構が簡単な構成で実現できるという効果を奏する。
【図面の簡単な説明】
【図１】本発明によるドアーインターロックの実施例を装着した引出形回路遮断器の正面図である。
【図２】図１の引出形回路遮断器を収納した収納箱の側面図である。
【図３】図２の平面図である。
【図４】図１ないし図３に示されたドアーインターロックの要部動作説明図である。
【図５】図１ないし図３に示されたドアーインターロックの要部動作説明図である。
【図６】図１ないし図３に示されたドアーインターロックの要部動作説明図である。
【図７】図１ないし図３に示されたドアーインターロックの要部動作説明図である。
【符号の説明】
１ 収納箱
２ 引出形回路遮断器
３ 引出枠
４ 遮断器本体
５ 底板
６ 枠側ロック部材
８ 引出操作ハンドル
１０ 箱本体
１１ 扉
１１ａ 駆動部材
１２ 扉側ロック部材
１３ シャッタ
１３ａ 開口部
１３ｂ 傾斜折曲部
１４ 本体側ロック部材
１５ 引出操作用おねじ
１５ａ ハンドル装着穴
１６ 基板
１８ スライド板
１８ａ ガイド腕
２０ シャッタ駆動レバー
２１ ガイドピン
２２ スライド板ストッパ
２３ スライド板駆動ピン
２４ 連動ピン
２５ 開扉ロック保持ピン
２７ スライド板
２７ａ 駆動辺
２８ ねじりばね
２９ 固定側ロックレバー
２９ｃ 開扉ロック係合縁
２９ｄ 回転阻止係合縁
３０ 固定側ロックレバー回転阻止ピン
３３ ねじりばね
３４ ロックピン
３５ ロックレバー
３６ ねじりばね
【図１】
0004237335.tif 000002
【図２】
0004237335.tif 000003
【図３】
0004237335.tif 000004
【図４】
0004237335.tif 000005
【図５】
0004237335.tif 000006
【図６】
0004237335.tif 000007
【図７】
0004237335.tif 000008